(57)【要約】      （修正有）【課題】１台の非接触ＩＣ機能付き携帯電話機に、異なる外部処理装置メーカーが製造した外部処理装置に対応可能なデータを追加して書き込む場合に処理を効率的に行なえるようにする。【解決手段】外部処理装置メーカーの発行データを管理するサーバ３に、予め外部処理装置メーカーが指定する発行データや画像データを登録するステップと、前記サーバ３が、非接触ＩＣ機能付き携帯電話機４から送信されたＩＤパスワードを受信した際に、前記ＩＤパスワードに基づいて特定される発行データや画像データを前記サーバ３から非接触ＩＣ機能付き携帯電話機４に送信するステップと、非接触ＩＣ機能付き携帯電話機４が、非接触ＩＣ機能を利用する際に用いるデータの書き込み依頼を、ネットワーク運用を管理するサーバ５に対して行なう際に、前記サーバ３から受信した発行データを送信して行なうステップとからなる。【選択図】図１
2006222706.tif 000002
【特許請求の範囲】
【請求項１】
非接触ＩＣ機能付き携帯電話機に対して、前記非接触ＩＣ機能により外部処理装置による処理を可能とするデータの書き込みを行なう非接触ＩＣ機能付き携帯電話機へのデータ書込処理方法であって、
外部処理装置メーカーの発行データを管理するサーバに、予め外部処理装置メーカーが指定する発行データや画像データを登録するステップと、
前記サーバが、前記非接触ＩＣ機能付き携帯電話機から送信されたＩＤパスワードを受信した際に、前記ＩＤパスワードに基づいて特定される発行データや画像データを前記サーバから前記非接触ＩＣ機能付き携帯電話機に送信するステップと、
前記非接触ＩＣ機能付き携帯電話機が、非接触ＩＣ機能を利用する際に用いるデータの書き込み依頼を行なう際に、ネットワーク運用を管理するサーバに前記サーバから受信した発行データを送信して行なうステップと、
からなることを特徴とする非接触ＩＣ機能付き携帯電話機へのデータ書込処理方法。
【請求項２】
前記発行データが、外部処理装置メーカー毎の外部処理装置での処理を特定するＩＤであることを特徴とする請求項１記載の非接触ＩＣ機能付き携帯電話機へのデータ書込処理方法。
【発明の詳細な説明】
【技術分野】
【０００１】
本発明は、非接触ＩＣ機能付き携帯電話機に対して、前記非接触ＩＣ機能により外部処理装置による処理を可能とするデータの書き込みを行なう非接触ＩＣ機能付き携帯電話機へのデータ書込処理方法に関する。
【背景技術】
【０００２】
従来、携帯電話機に搭載された非接触ＩＣ機能を用いて、外部処理装置との間で通信を行うことにより、外部処理装置での種々の処理を可能とした非接触ＩＣ機能付き携帯電話機が開発されている。
これらの非接触ＩＣ機能付き携帯電話機においては、電話機能とは別に、外部処理装置と直接電波を用いた通信により、例えば、入口ゲートの開閉管理、電子マネーの支払い処理、その他の様々なシステムに対応することができる。（例えば、特許文献１、参照）
【特許文献１】特開２００３−８５４６６号公報
【０００３】
但し、非接触ＩＣ機能付き携帯電話機を、非接触ＩＣ機能付き携帯電話機を利用した外部処理装置のシステムに対応できるようにするためには、非接触ＩＣ機能付き携帯電話機の非接触ＩＣのメモリに、ある特定の外部処理装置に対応可能なデータをダウンロードさせておく必要がある。
【０００４】
非接触ＩＣ機能付き携帯電話機を使用したシステムが、複数の用途に使われ始めると、１台の非接触ＩＣ機能付き携帯電話機にこれら複数のシステムに対応できるデータを追加して記憶させる必要がある。
しかしながら、異なるシステムで対応可能な非接触ＩＣ機能付き携帯電話機とするためには、異なる外部処理装置メーカーの外部処理装置毎に対応可能なデータを非接触ＩＣのメモリに記憶させる必要があり、そのために外部処理装置メーカー毎の異なるアプリケーションプログラムをダウンロードするなどの処理を行なわなければならず手間や時間などがかかり効率が悪いという問題がある。
【発明の開示】
【発明が解決しようとする課題】
【０００５】
本発明は、１台の非接触ＩＣ機能付き携帯電話機に、異なる外部処理装置メーカーが製造した外部処理装に対応可能なデータを追加して書き込む場合に、非接触ＩＣ機能付き携帯電話機とサーバとの間における処理を効率的に行なえるようにした非接触ＩＣ機能付き携帯電話機へのデータ書込処理方法を提供する。
【課題を解決するための手段】
【０００６】
本発明の非接触ＩＣ機能付き携帯電話機へのデータ書込処理方法は、非接触ＩＣ機能付き携帯電話機に対して、前記非接触ＩＣ機能により外部処理装置による処理を可能とするデータの書き込みを行なう非接触ＩＣ機能付き携帯電話機へのデータ書込処理方法であって、外部処理装置メーカーの発行データを管理するサーバに、予め外部処理装置メーカーが指定する発行データや画像データを登録するステップと、前記サーバが、前記非接触ＩＣ機能付き携帯電話機から送信されたＩＤパスワードを受信した際に、前記ＩＤパスワードに基づいて特定される発行データや画像データを前記サーバから前記非接触ＩＣ機能付き携帯電話機に送信するステップと、前記非接触ＩＣ機能付き携帯電話機が、非接触ＩＣ機能を利用する際に用いるデータの書き込み依頼を行なう際に、ネットワーク運用を管理するサーバに前記サーバから受信した発行データを送信して行なうステップと、からなることを特徴とする。
【０００７】
また、本発明の非接触ＩＣ機能付き携帯電話機へのデータ書込処理方法は、前記発行データが、外部処理装置メーカー毎の外部処理装置での処理を特定するＩＤであることを特徴とする。
【発明の効果】
【０００８】
本発明の非接触ＩＣ機能付き携帯電話機へのデータ書込処理方法は、外部処理装置メーカーの発行データを管理するサーバに、予め外部処理装置メーカーが指定する発行データが登録されており、１台の非接触ＩＣ機能付き携帯電話機に、異なる外部処理装置メーカーが製造した外部処理装に対応可能なデータを追加して書き込む場合でも、ネットワーク運用を管理するサーバに前記サーバから受信した発行データを送信して行なうことができるので、非接触ＩＣ機能付き携帯電話機とサーバとの間における処理を効率的に行なうことができるという効果がある。
【０００９】
また、本発明の非接触ＩＣ機能付き携帯電話機へのデータ書込処理方法は、前記発行データが、外部処理装置メーカー毎の外部処理装置での処理を特定するＩＤであるので、非接触ＩＣ機能付き携帯電話機へのデータ書込処理を正確に効率的に行なうことができるという効果がある。
【発明を実施するための最良の形態】
【００１０】
以下、本発明の実施の形態を図面に基づいて詳細に説明する。
図１は、本発明の実施形態に係る非接触ＩＣ機能付き携帯電話機へのデータ書込処理方法に適応するシステム構成及び処理の流れを説明する図、図２は、本発明の実施形態に係る非接触ＩＣ機能付き携帯電話機へのデータ書込処理方法に適応するシステムの処理手順を説明するフローチャート図である。
【００１１】
まず、本発明の実施形態に係る非接触ＩＣ機能付き携帯電話機へのデータ書込処理方法は、データ発行を行うデータセンター１のＷｅｂサーバ２及びパーソナライズサーバ３と、Ｗｅｂサーバ２及びパーソナライズサーバ３と通信可能な非接触ＩＣ機能付き携帯電話機４と、非接触ＩＣ機能付き携帯電話機の非接触ＩＣ機能に基づくネットワークの運用管理を行なうネットワーク管理センター５の管理サーバ６とにより構成される。
【００１２】
データセンター１のＷｅｂサーバ２には、非接触ＩＣ機能付き携帯電話機からの送信依頼に基づいて、非接触ＩＣ機能付き携帯電話機に送信し、ダウンロードするためのアプリケーションプログラムが記憶されている。
このアプリケーションプログラムは、非接触ＩＣ機能付き携帯電話機の非接触ＩＣ機能を活用する際に必要なデータの書き込み処理や読み込みの処理を行なうためのプログラムであり、このアプリケーションプログラムの処理手順に基づいて処理することで、非接触ＩＣ機能付き携帯電話機の非接触ＩＣ機能を用いて外部処理装置との間での処理の実行を行なえるようにできる。
【００１３】
データセンター１のパーソナライズサーバ３には、例えばゲートメーカーなどの予め異なる複数の外部処理装置メーカーの各社が指定する発行データが登録されているデータベース７，８が設けられている。
このデータベース７，８に登録されている発行データは、外部処理装置メーカーであるゲートメーカー毎のＩＣチップフォーマット情報と、サービス発行用ＩＤ、サービス削除用ＩＤ、データ読み込み用ＩＤ、データ書き込み用ＩＤなどの処理を定義するＩＤや、画像データなどである。
更に、各外部処理装置メーカー毎に、その外部処理装置メーカーから各社に発行するための発行先会社別発行データ９，１０，１１，１２として、ゲートメーカー毎のＩＣチップファーマット情報と、サービス発行用ＩＤ、サービス削除用ＩＤ、データ読み込み用ＩＤ、データ書き込み用ＩＤなどのＩＤなどがそれぞれ登録されている。
【００１４】
次に、本発明の実施形態に係る非接触ＩＣ機能付き携帯電話機へのデータ書込方法の処理手順について説明する。
まず、データ発行を行うデータセンター１のパーソナライズサーバ３のデータベースに、予め異なる複数の外部処理装置メーカーの各社が指定する発行データ７，８を登録しておく。（ステップＳ１）
そして、非接触ＩＣ機能付き携帯電話機４は、データセンター１のＷｅｂサーバ２と通信を行い、アプリケーションプログラムの送信依頼を行なう。（ステップＳ２）
データセンター１のＷｅｂサーバ２から非接触ＩＣ機能付き携帯電話機にアプリケーションプログラムが送信され、ダウンロードする。（ステップＳ３）
【００１５】
次に、利用者は、非接触ＩＣ機能付き携帯電話機４を操作して、ダウンロードしたアプリケーションプログラムの起動をさせる。（ステップＳ４）
起動したアプリケーションプログラムの指示画面に基づいて、非接触ＩＣ機能付き携帯電話機４を操作して、ＩＤパスワードの入力を行なう。（ステップＳ５）
入力されたＩＤパスワードは、非接触ＩＣ機能付き携帯電話機４からデータセンター１のパーソナライズサーバ３へ送信される。（ステップＳ６）
【００１６】
次に、データセンター１のパーソナライズサーバ３において、非接触ＩＣ機能付き携帯電話機４から受信したＩＤパスワードの認証処理が行なわれる。（ステップＳ７）
この認証処理の結果（ステップＳ８）、認証が成立した場合に、データセンター１のパーソナライズサーバ３から非接触ＩＣ機能付き携帯電話機４に対して、そのＩＤパスワードで特定されるゲートメーカーの発行データであるＩＤとユーザＩＤと社員ＩＤと、画像データが送信されダウンロードされる。（ステップＳ９）
【００１７】
次に、非接触ＩＣ機能付き携帯電話機４からネットワーク管理センター５の管理サーバ６に対して、発行データであるＩＤとユーザＩＤとを送信して処理の開始を要求する。（ステップＳ１０）
ネットワーク管理センター５の管理サーバ６から非接触ＩＣ機能付き携帯電話機４に対して、トランザクションＩＤが送信されて通知される。（ステップＳ１１）
非接触ＩＣ機能付き携帯電話機４からネットワーク管理センター５の管理サーバ６に対して、書き込みデータが送信される。（ステップＳ１２）
ネットワーク管理センター５の管理サーバ６から非接触ＩＣ機能付き携帯電話機４の非接触ＩＣに対して、パーソナライズデータの書き込み処理が行なわれる（ステップＳ１３）
【図面の簡単な説明】
【００１８】
【図１】本発明の実施形態に係る非接触ＩＣ機能付き携帯電話機へのデータ書込処理方法に適応するシステム構成及び処理の流れを説明する図である。
【図２】本発明の実施形態に係る非接触ＩＣ機能付き携帯電話機へのデータ書込処理方法に適応するシステムの処理手順を説明するフローチャート図である。
【符号の説明】
【００１９】
１  データセンター
２  Ｗｅｂサーバ
３  パーソナライズサーバ
４  非接触ＩＣ機能付き携帯電話機
５  ネットワーク管理センター
６  管理サーバ
７，８  データベース
９，１０，１１，１２  発行先会社別発行データ
【図１】
2006222706.tif 000003
【図２】
2006222706.tif 000004